(57)【要約】      （修正有）【課題】  ベランダに於ける、侵入の阻止や落下など複数の問題を解消する装置を提供する。【解決手段】左右案内ガイド２、３に挟持された侵入防止壁１を、蛇口からの水道圧等を駆動源としたシリンダー４により上方に押し上げ、シリンダーピストンが伸びた状態で流体の圧力により保持固定し、水道水を止め蛇口からホースをぬくことにより壁の自重により下降する装置。【選択図】  図１
2005336978.tif 000002
【特許請求の範囲】
【請求項１】
ベランダの手摺部に平行に収納された板や網を水道水圧の力を利用したシリンダーピストンで上昇させる構造にした侵入防止装置。
【請求項２】
請求項１の侵入防止装置を、電動で作動する構造にした侵入防止装置。
【請求項３】
請求項１の侵入防止装置を、スプリングやダンパーの力で補助して手で動かせる構造にした侵入防止装置。
【請求項４】
請求項１の板の材質にポリカーボネットを使用した侵入防止装置。
【請求項５】
請求項１のシリンダーピストンの駆動源を蓄圧ボンベや空気入れによる流体とする侵入防止装置。
【発明の詳細な説明】
【技術分野】
【０００１】  本発明は、マンションなどのベランダの手摺部分に平行して収納した板や網を、手摺の上部の開放された部分に上昇させて塞ぎ、外部からの人などの侵入を防ぐようにしたものである。また、本発明は、ベランダの内側から外に子供などが転落しないことや、外部からの投石で割れて落下し、下方の人に危害を及ぼさないことが前提としている。従って、侵入を防ぐ板は、ポリカーボネット板などの割れない強度あるものである。
【背景技術】
【０００２】  マンションなどの集合住宅のベランダ側は、雨戸やシャッターなどが取り付けられることもなく、サッシュ枠の透明引き戸などのみの出入口であるのが通常である。ベランダを乗り越えると、むしろベランダの手摺部が外よりの目隠しとなり、ガラス戸を割って侵入するケースが多発しているのが現状である。
【発明の開示】
【発明が解決しようとする課題】
【０００３】  上記従来のベランダは開放された状態で、子供の落下事故の発生や外部からのホコリなどの飛来物があったり、容易に外部から侵入される状態に困っている。また、景観上、洗濯物などの干し物は、ベランダの手摺以下に制約したため、鳩などの鳥のフンにも悩まされ困っている。そこで、ネットやフィルムを固定的に張って対策をしたが、外部よりの景観を悪くしたばかりか、居住者側からの景観も悪くしてしまった。
本発明は、上記に示すような問題点を解決した多目的なベランダのガードを提供しようとするものである。
【課題を解決するための手段】
【０００４】  本発明は、上記の目的を達成するために、ベランダの手摺内側部分へ平行に板を収納している。収納された板は、左右に設けられた案内ガイドに添って、シリンダーで押し上げられる構造となっている。【０００５】  上記のようにして、請求項１に記載の発明は、本発明の前記目的を達成できる。請求項２は、シリンダーピストンの替わりに電動機を使用して板または、網を動かせる構造のものである。請求項３はスプリングで吊り下げるなどの力を利用して人にかかる負担を軽減化するように構成したものである。請求項４は侵入を防ぐための板をポリカーボネット樹脂で構成したものである。さらに、請求項５は、請求項１の、シリンダーピストンにおいて、作動流体を自転車の空気入れや蓄圧ボンベによるものとして構成するもの。
【発明の効果】
【０００６】  以上のように本発明によると、開放されていたベランダの手摺から上の部分は閉鎖されて、ベランダより内部に侵入される恐れは解消される。また内側から外側に転落したり、出かけた折りの突然の雨で濡れてしまう事もなくなる。実に、室内・外の騒音対策も図ることが可能となる。侵入防止用の壁部分を透明のポリカーボネット板を使用すれば、内側から景色を見ることに支障も起こさず、不意の飛来物や投石によるケガや物品の破損などから守ることも出来ることとなる。
【発明を実施するための最良の形態】
【０００７】  最初に、本発明の実施の形態を図により説明する。
概略的には、侵入防止壁である１と、その案内ガイドである２、及び３と、侵入防止壁１を上下に動かすシリンダーである４からなっている。【０００８】  侵入防止壁の材料は、ポリカーボネット板を使用して、割れを防いでいる。【０００９】  左右の案内ガイドである２、及び３は、防錆効果の高いメッキを施した材料や、ステンレス、アルミ、あるいは樹脂などで、スライドが容易な構造に工夫してある。【００１０】    左右の案内ガイド２と３に挟まるように取り付けた侵入防止壁は１は、シリンダー４によって上方に押し上げられる。このとき侵入防止壁１は、シリンダーピストンが伸びた状態で流体の圧力によって保持・固定されている。【００１１】  シリンダーを作動させる駆動源は、蛇口からの水道水圧を利用しているため、新たな駆動源を設ける必要もなく、他にも空気入れで動かすなどの、あらゆる流体での作動が可能な構造にしている。【００１２】  侵入防止壁を下降させるには、水道水を止めて蛇口からホースを抜けば、壁の自重によって下降する。
【図面の簡単な説明】
【００１３】１      侵入防止壁
２      右案内ガイド
３      左案内ガイド
４      上下駆動シリンダー
【図１】
2005336978.tif 000003
【図２】
2005336978.tif 000004
【手続補正書】
【提出日】平成16年8月25日(2004.8.25)
【手続補正１】
【補正対象書類名】明細書
【補正対象項目名】全文
【補正方法】変更
【補正の内容】
【発明の詳細な説明】
【技術分野】
【０００１】  本発明は、マンションなどのベランダの手摺部分に平行して  や網を、手摺の上部の開放された部分に上昇させて塞ぎ、外部からの人などの侵入を防ぐようにしたものである。また、本発明は、ベランダの内側から外に子供などが転落しないことや、外部からの投石で割れて落下し、下方の人に危害を及ぼさないことが前提としている。従って、侵入を防ぐ板は、ポリカーボネート板などの割れない強度あるものである。
【背景技術】
【０００２】  マンションなどの集合住宅のベランダ側は、雨戸やシャッターなどが取り付けられることもなく、サッシュ枠の透明引き戸などのみの出入口であるのが通常である。ベランダを乗り越えると、むしろベランダの手摺部が外よりの目隠しとなり、ガラス戸を割って侵入するケースが多発しているのが現状である。
【発明の開示】
【発明が解決しようとする課題】
【０００３】  上記従来のベランダは開放された状態で、子供の落下事故の発生や外部からのホコリなどの飛来物があったり、容易に外部から侵入される状態に困っている。また、景観上、洗濯物などの干し物は、ベランダの手摺以下に制約したため、鳩などの鳥のフンにも悩まされ困っている。そこで、ネットやフィルムを固定的に張って対策をしたが、外部よりの景観を悪くしたばかりか、居住者側からの景観も悪くしてしまった。
本発明は、上記に示すような問題点を解決した多目的なベランダのガードを提供しようとするものである。
【課題を解決するための手段】
【０００４】  本発明は、上記の目的を達成するために、ベランダの手摺内側部分へ平行に板を収納している。収納された板は、左右に設けられた案内ガイドの添って、シリンダーで押し上げられる構造となっている。【０００５】  上記のようにして、請求項１に記載の発明は、本発明の前記目的を達成できる。請求項２は、シリンダーピストンの替わりに電動機を使用して板または、網を動かせる構造のものである。請求項３はスプリングで吊り下げるなどの力を利用して人にかかる負担を軽減化するように構成したものである。請求項４は侵入を防ぐための板をポリカーボネート樹脂で構成したものである。さらに、請求項５は、請求項１の、シリンダーピストンにおいて、作動流体を自転車の空気入れや蓄圧ボンベによるものとして構成するもの。
【発明の効果】
【０００６】  以上のように本発明によると、開放されていたベランダの手摺から上の部分は閉鎖されて、ベランダより内部に侵入される恐れは解消される。また内側から外側に転落したり、出かけた折りの突然の雨で濡れてしまう事もなくなる。実に、室内・外の騒音対策も図ることが可能となる。侵入防止用の壁部分を透明のポリカーボネート板を使用すれば、内側から景色を見ることに支障も起こさず、不意の飛来物や投石によるケガや物品の破損などから守ることも出来ることとなる。
【発明を実施するための最良の形態】
【０００７】最初に、本発明の実施の形態を図により説明する。
概略的には、侵入防止壁である１と、その案内ガイドである２、及び３と、侵入防止壁１を上下に動かすシリンダーである４からなっている。【０００８】侵入防止壁の材料は、ポリカーボネート板を使用して、割れを防いでいる。【０００９】左右の案内ガイドである２、及び３は、防錆効果の高いメッキを施した材料や、ステンレス、あるいは樹脂などで、スライドが容易な構造に工夫してある。【００１０】  左右の案内ガイド２と３に挟まれるように取り付けた侵入防止壁１は、シリンダー４によって上方に押し上げられる。このとき侵入防止壁１は、シリンダーピストンが伸びた状態で流体の圧力によって保持・固定されている。【００１１】  シリンダーを作動せせる駆動源は、蛇口からの水道水圧を利用しているため、新たな駆動源を設ける必要もなく、他にも空気入れで動かすなどの、あらゆる流体での作動が可能な構造にしている。【００１２】  侵入防止壁を下降させるには、水道水を止めて蛇口からホースを抜けば、壁の自重によって下降する。
【図面の簡単な説明】
【００１３】
【図１】侵入防止壁である１と、その案内ガイドである２、及び３と入防止壁１を上下に動かすシリンダーである４からなっている。
【図２】侵入防止壁である１と、その案内ガイドである２からなっている。
【符号の説明】
【００１４】    １        侵入防止壁
２        右案内ガイド
３        左案内ガイド
４        上下駆動シリンダー